(57)【要約】      （修正有）【課題】プロテクターや使い捨て懐炉などの物品を挿入でき、足裏或いは足甲部へと位置変更自在なポケットを有する靴下を提供する。【解決手段】丸編み機を使用して靴下を編成する途中で、編み針を休止させて往復動で袋状ポケット部を構成する帯状編地を形成する。また、帯状編地の途中に、踵部の形成方法と同様の方法で膨出部を形成する。【選択図】図１
0003174981.tif 000002
【実用新案登録請求の範囲】
【請求項１】
筒編みで形成される靴下において、袋状ポケットを構成する帯状編地を一体形成したことを特徴とする靴下。
【請求項２】
上記袋状ポケットが爪先部に形成されると共に、ポケットを裏返してポケット位置を足甲又は足裏へ変更可能にしたことを特徴とする請求項１記載の靴下。
【請求項３】
帯状編地に一又は複数の膨出部を形成したことを特徴とする請求項１または２記載の靴下。
【考案の詳細な説明】
【技術分野】
【０００１】
本考案はポケット付の靴下に関する。より詳しくはプロテクターや保温カイロ、歩行補助具などの部材を収納するポケットを靴下の所望位置に一体編成した靴下に関するものである。
【背景技術】
【０００２】
丸編みされた靴下に一体的に形成されるポケットを有する発明がある（特許文献１、特許文献３）。
ヒール部とレッグ部が筒編みで一体に形成される靴下のレッグ部の中間部に袋状の編地からなる膨出部が形成された靴下がある（特許文献２）。
【先行技術文献】
【特許文献】
【０００３】
【特許文献１】特開昭５２−５２７４０
【特許文献２】特開２００２−１７３８０１
【特許文献３】特開平１０−２８０２０２
【考案の概要】
【考案が解決しようとする課題】
【０００４】
靴下にプロテクターや使い捨て懐炉などの物品の挿入部を設ける場合、挿入部となるポケットは別途形成された編地片を靴下の任意の位置に縫着したり、別途編成された筒状編地を靴下本体に縫着することで形成されていた。
【０００５】
しかし、これらは靴下本体とは別に収納部を用意する必要があるうえ、本体に取り付ける手間を有するため製造コストがかかっていた。また、靴下本体へ別途縫い付けるので靴下の伸縮性が劣化したり、靴下の伸縮とともに縫い付け糸がほつれたり、切れたりするなどの不具合があった。
【０００６】
特許文献２記載の靴下は、指先に障害を有する者又は老人が膨出部を取手として把持して引き上げることで容易に靴下の装着を可能にするものであって、膨出部は収納ポケットとなるものではない。
【０００７】
一方、特許文献１および３の靴下は、丸編みによる編成の途中でポケットを一体的に形成するものであるが、ポケットが形成される位置は爪先ではなくまたポケット位置を足裏或いは足甲部へと位置を変更できるものではない。
【０００８】
そこで、本考案では、靴下の足先部に袋状ポケットを形成するとともに、当該ポケットを裏返すことで足裏或いは足甲部へとポケットの位置変更自在な靴下を提供することを目的とするのである。
【課題を解決するための手段】
【０００９】
上記課題を解決するために、本考案では上述の筒編みで編成される一般的な靴下の製造工程に従いながら、各種部材を収納するポケットを靴下と一体形成するのである。具体的には、ポケットを形成したい位置で、編み針を休止させて往復動で袋状ポケット部を構成する帯状編地を形成する。帯状編地は同一幅で所定長さ編成される場合もあるし、帯状編地の途中に、踵部の形成方法と同様の方法で膨出部を形成する場合もある。
【００１０】
また、ポケットを爪先部に設けることでこれを裏返すとポケット位置が足甲側又は足裏側へと変更可能となるのである。
【考案の効果】
【００１１】
丸編み機を使用してコンピュータ制御下の一連の連続した編成工程により収納ポケットを一体的に形成できるので、別途ポケットを形成して靴下に縫着するなどの余分な工程を必要としないため生産効率を高めることができ、製造時間の短縮により製造コストを抑えることができる。
コンピュータ制御により収納ポケットを形成する位置を自在に決定することができるため着用者の用途に合わせた商品展開が可能となる。例えばサッカーに使用されるプロテクターである、レガートを収納する場合はひざ丈ソックスのすね部分にレガート収納ポケットを形成し、スポーツによる筋肉疲労を解消するための冷却材収納ポケットはひざ丈ソックスのふくらはぎ側に形成することができるのである。
また、温熱効果を享受したい場合は靴下の足甲、つま先、足裏など所望位置にポケットを形成できるのである。
ポケット部は二重に編成されているため丈夫である。
足先部に収納ポケットを形成した場合は、収納ポケットを折り返して位置を足甲部或いは足裏部に変更自在である。
【図面の簡単な説明】
【００１２】
【図１】本考案に係る靴下の製造工程を示す説明図。
【図２】同、説明図。
【図３】靴下の正面図。
【図４】同、靴下のポケットを足甲側に折り返した状態を示す説明図。
【図５】足裏にポケットを有する靴下ポケットに歩行補助具を挿入する状態を示す説明図。
【図６】プロテクター収納のためのポケットを形成する過程を示すスポーツ用ソックスの正面図。
【図７】同、ポケットを縫着した状態を示す正面図。
【図８】他の実施形態に係る靴下の製造工程を示す説明図。
【図９】同、説明図。
【図１０】足裏にポケットを有する靴下の完成図。
【図１１】ポケットを足甲側に裏返した状態を示す説明図。
【考案を実施するための形態】
【００１３】
本考案では、靴下やストッキング等の筒状の編地製品や袋状の編地製品を編み立てるための丸編み機が用いられる。この丸編み機は円筒状のシリンダを備えたコンピュータ式の編立機械であって、コンピュータで作成した製品全体の網目設計データを編立機械へと移行し、この編目設計データに基づいて自動編立を行うものである。
靴下の筒状編地は円筒状シリンダの一回転、一コースの編立を繰り返すことで編成され、一方、踵部と爪先部の編成は、シリンダの半周に当たるニードルを休止させ残りの半分のニードルを使用してシリンダの正逆往復回転によって目減らし或いは目増やしを行って編成している。
丸編み機を使用した一般的な靴下の製造動作を工程順序に従って説明する。
まず、靴下の履き口となる口ゴム部をダブルウェルト（袋編）に編立てメークアップ編成を行う。このメークアップ編成後のゴムを挿入した編地で履き口を形成し、当該履き口に連続してレッグ部を筒編で編み立てるのである。
このレッグ部からフット部へ筒編により編み立てる途中において、この筒編みの一方に袋状の編地を形成して踵部を形成する。踵部を形成した後は前記レッグ部と同様にフット部を形成する。
フット部の端部においてはヒール部と同様に筒編みの一方に袋状の編地を形成することで爪先部を形成し、この爪先部の先端部分とフット部を縫い合わせる、先かがりを行って靴下を完成させるのである。
【００１４】
本考案では上述の一般的な靴下の製造工程に従いながら、踵部を形成する際に用いられる編成方法を使用して各種部材を収納するポケットを靴下と一体形成するのである。
【００１５】
以下、本考案の最適な実施形態について図面を参照しながら説明する。
図１が本考案に係る靴下１であって爪先に収納ポケットを形成したものである。
【００１６】
最初に靴下の履き口となる口ゴム部２をダブルウェルトで編み立てる。続いて口ゴム部に使用した白色とは異なる色の糸を使用して口ゴム部２に続いてレッグ部を筒編みで編成する（煉瓦状の模様が付された部分が異なる色を使用して編み立てられている）。
【００１７】
レッグ部３からフット部４へと編み立てる途中で踵部５を形成する。
踵部５はシリンダの周りに多数配列したメリヤス針を半分に分け、半分を休止させることで袋状に形成される。休止しないメリヤス針は半分の往復動に代わるが、一往復の間に例えば２本ずつ休止し、全部休止すると再び２本ずつ復活することでゴア線６が形成される。
【００１８】
その後全針を使用してフット部の土踏まず部７まで編成すると、再度約半数の針を休止させて往復動で袋状ポケット部とする帯状編地８を形成する。帯状編地８は土踏まずから爪先までの長さとほぼ同一長さを有する。帯状編地８を編成後、踵部５形成方法と同様の方法で編み針を少しずつ休止しながら再度復活させて膨出部１０を形成する。ゴア線９が形成され、再び帯状編地８と同一形状、長さを有する帯状編地１１を編成するのである。
【００１９】
その後は、通常の靴下同様フット部４の残りを編成し、爪先部１３の開口部１４を残して靴下１の編成が完了する。ここでは、フット部４の途中でゴム糸を挿入して伸縮性のある編地１７としている。当該編地１７は足甲から土踏まずにかけてのフット部４の周囲に位置するため靴下が足にフィットして位置ずれを生じさせず、さらに収納ポケットの挿入口を構成するので、収納ポケットに挿入物を確実に収納することができるのである。
【００２０】
帯状編地８、１１はゴア線９で折り返されてフット部４の中へ挿入され、膨出部１０が袋状に折り返されて、舌片状に爪先開口部１４から露出している。
このとき、帯状編地の先端部１５は袋状にとじられているが、両側縁１２−１２は開口したままである。そこで、帯状編地８、１１の対向する側縁を重合させてオーバーロックミシン１８をかけ靴下１と結合させるのである。
さらに、帯状編地の先端部１５と爪先内側をわずかな部分で縫い合わせることで帯状編地と靴下本体がずれを生じないようにする。
最後に開口した爪先端１４を継目線でリンキング処理を行って靴下１は完成するのである。
【００２１】
靴下１は図３に示すように帯状編地と靴下の足裏部とによって靴下１の足裏に袋状ポケット１６を有する。さらに袋状ポケット１６を足甲側へ折り返すことで足甲側へポケットができるのである（図４）。
【００２２】
このようにして形成されるポケットの位置や大きさ、個数の変更は自在であり、収納する部材によって異なってくる。
収納部材も多岐にわたり、スポーツ用プロテクター、使い捨て懐炉、消臭剤、芳香剤、冷却材或いは歩行を補助するための補助具、その他使用者の症状に応じた治療用具などが
考えられる。
【００２３】
そのうちの一つである歩行補助具の使用を図５で示している。
【００２４】
高齢者等、歩行が困難な者は、爪先が下がったままの状態で足を前方に送り出してしまうため、すり足状態で歩行を続けることになりわずか数ミリの凹凸、段差で躓き転倒する事故を起こすことが多い。
図５に示す靴下１９は本考案に係る足裏に袋状ポケット２０を有する靴下である。一方、２１は土踏まずのアーチの形状に湾曲した板ばねである。
この板ばね２１をポケットに収納した靴下１９を装着した使用者が歩行をすると、足裏の収納ポケット２０に挿入した板ばね２１が足指の付け根で押圧され、板ばね２１の先端部が足先を下方から持ちあげる。すると使用者の足先が上がって、わずかな段差等で躓く恐れを低減できると共に、土踏まずを効果的に引き上げることができるため歩行運動を促進するのである。
同様に、足を使う運動や歩行に際し、足裏に伝わる衝撃を緩和するために靴底や靴の中敷きあるいは靴下に衝撃吸収材を備えることがある。本考案では足裏に形成したポケット部にこのような衝撃吸収材を収納することで同様の効果を奏することもできるのである。
次に、本願の他の実施形態について説明する。
図６に示したソックスはスポーツソックスである。
サッカーなどのスポーツではボールがプレーヤーの足に当たったり、プレイヤー同士の接触により足に衝撃を受けることが多く、この衝撃を緩和するためのプロテクターを使用することが一般的である。このプロテクターを収納して確実に保持するためのポケットをスポーツソックスに形成するのである。
このスポーツソックス３１は、上述の靴下同様、丸編み機を使用しておおむね同様の方法で編成されるが、履き口２２から編成し始めた靴下の脚部２３を長く形成し、足首２４あたりで編み針の半数程度を休止させて帯状編地２５からなるポケット部を形成する。
一定の幅で連続編成された帯状編地２５は折り返されてポケット２６の表地と裏地を形成する。
帯状編地２５の編成後は不使用位置にあった編み針を戻し、全針を使用して足首まで脚部２３を編成、その後踵袋２７に続いてフット部２８を編成し、最後に開口した爪先２９をリンキング処理するのである。
【００２５】
折り返されて袋状に形成されたポケット２６の開口した両端部２６ａを対向させて結合し、靴下本体３１に重合させてオーバーロックミシン３０で縫い付けるのである。
【００２６】
このポケット２６はスポーツソックス３１の表側或いは裏側どちらにでも形成することができる。
即ち、靴下の脚部上部から帯状編地を形成した場合は、靴下内側へポケット部を挿入することで、靴下表面には開口部のみが露出し、靴下の脚部下部からポケット部を形成した場合は、ポケット全体が靴下の表面に露出した状態となる(図示せず)。
【００２７】
開口したポケット上部からプロテクターを挿入するのである。本考案に係るポケット付スポーツソックスは、ポケットへのプロテクターの挿入、取り出しが容易で、使用中は伸縮性のあるポケットによってプロテクターは確実に保持されてずれることがないのである。
【００２８】
このポケットの幅や長さの変更は使用用途に応じて適宜自在であり、またソックスの裏側、すなわちふくらはぎ部に配設することも可能である。ふくらはぎ部に設けたポケットに冷却材などを挿入すると筋肉疲労を緩和させることができるのである。また、ポケット部を他の糸によって編成することで意匠的効果を付与することもできる。
【００２９】
さらに本願に係る靴下のもう一つの実施形態について説明する。
図８に示す靴下３２は丸編み機を使用して靴下１と同様の筒編みで編み立てられる丈の短いソックスであって、ゴム糸を挿入して編成される口ゴム部３４、レッグ部３３、踵部３５、フット部４２を有する靴下である。
靴下１同様にフット部の土踏まず部まで編成後、約半数の針を休止させて往復動で袋状ポケットを構成する帯状編地３６を形成する。帯状編地３６は土踏まずから爪先までの長さとほぼ同一長さを有する。帯状編地３６を編成後、踵部形成方法と同様の方法で編み針を少しずつ休止しながら再度復活させて膨出部３７を形成するとゴア線３８が形成される。この実施形態ではここで、再び編み針を増減させて膨出部３９を形成するのである。  その後帯状編地３６と同一形状、長さを有する帯状編地４１を編成するのである。
【００３０】
続いてフット部４２の残りを編成し、爪先部４３の開口部４４を残して靴下３２の編成が完了する。フット部４２の途中でゴム糸を挿入して伸縮性のある編地４５とする点は靴下１と同様である。
【００３１】
図９は、帯状編地３６、４１からなる袋状ポケットがフット部４２の中へ挿入された状態を示している。袋状ポケットの両側端４６−４６が開口しているのでまず、この開口部にオーバーロックミシンをかけて閉じたのち膨出部３７と３９の中間４７をつまんで引き出して重ね合わせ、爪先部４３の端部４８と重合させてポケット先端を爪先部４３に縫着する。このとき形成されるのが、図１０の爪先部４３に示された縫着線４９である。続いてロッソ機により爪先先端部を切り落とし、リンキング処理で爪先部を閉じる（５０）。
最後に爪先部４３から踵部３５にかけてオーバーロックミシン５１を掛けて靴下３２が完成するのである。
【００３２】
靴下３２の内側は図１１に示すようにポケットの先端に膨出部３８、３９が形成されているため、もっとも冷えを感じる足先が何重にも編地で覆われることになり保温効果がさらに高まるのである。
【産業上の利用可能性】
【００３３】
本考案は丸編み機を使用して縫製される靴下のみならず、手袋にも利用可能である。
【符号の説明】
【００３４】
１、１９、３１、３２、靴下      ２、２２、３４、口ゴム部
３、２３、３３、レッグ部      ４、２８、４２、フット部
６、２７、３５、踵部        ７、土踏まず部
８、１１、２５、３６、４１、帯状編地  ９、３８、４０、ゴア線
１０、３７、３９、膨出部
１６、２０、２６、ポケット      
１２、１４、２０、４４、４６、開口部
１３、２９、４３、爪先部      １６、ポケット挿入口
１８、３０、５１、オーバーロックミシン  ２１、板ばね
【図１】
0003174981.tif 000003
【図２】
0003174981.tif 000004
【図３】
0003174981.tif 000005
【図４】
0003174981.tif 000006
【図５】
0003174981.tif 000007
【図６】
0003174981.tif 000008
【図７】
0003174981.tif 000009
【図８】
0003174981.tif 000010
【図９】
0003174981.tif 000011
【図１０】
0003174981.tif 000012
【図１１】
0003174981.tif 000013
【手続補正書】
【提出日】平成24年2月9日(2012.2.9)
【手続補正１】
【補正対象書類名】実用新案登録請求の範囲
【補正対象項目名】全文
【補正方法】変更
【補正の内容】
【実用新案登録請求の範囲】
【請求項１】
筒編みで形成される靴下において、袋状ポケットを構成する帯状編地を一体形成したことを特徴とする靴下。
【請求項２】
筒編みで形成される靴下において、フット部の土踏まず部周辺に、土踏まずから爪先までと略同一長さを有する帯状編地を編成し、
当該帯状編地を折り返してフット部内側に挿入すると共にフット部に取り付け、開口部を閉じて形成された、袋状ポケットが足甲側又は足裏側に折り返し自在であることを特徴とする靴下。
【請求項３】
帯状編地に一又は複数の膨出部を形成したことを特徴とする請求項１又は２記載の靴下。